(57)【要約】【課題】待合室で長時間待つことなくタイミングよくサービスの提供を受けることができる待ち時間通知サーバを提供する。【解決手段】診察予約サーバ１００は、診察を患者が受けたことを示す履歴情報を蓄積する履歴情報蓄積部１６０と、診察を受ける患者を識別するための診察券番号を受信するユーザ識別情報受信部１１０と、診察を受けるための受付順序を示す診察受付番号を生成する予約受付生成部１２０と、ユーザ識別情報受信部１１０によって識別されたその患者に対して、予約受付生成部１２０によって生成された診察受付番号と、履歴情報蓄積部１６０に蓄積された履歴情報に基づいて、その患者が診察を受けるまでの待ち時間を算出し、算出されたその待ち時間を示す情報を生成する待ち時間算出部１３０と、待ち時間算出部１３０によって生成された待ち時間を示す情報を出力するユーザ通知部１４０と、を備える。【選択図】図１
2011170552.tif 000002
【特許請求の範囲】
【請求項１】
所定のサービスの提供をユーザが受けたことを示す履歴情報を蓄積する履歴情報蓄積手段と、
ユーザを識別するためのユーザ識別情報を受信するユーザ識別情報受信手段と、
前記ユーザ識別情報受信手段によって受信された前記ユーザ識別情報に対応して、前記サービスを受けるための受付順序を示す予約受付情報を生成する予約受付生成手段と、
前記ユーザ識別情報受信手段によって識別された当該ユーザに対して、前記予約受付生成手段によって生成された前記予約受付情報と、前記履歴情報蓄積手段に蓄積された前記履歴情報に基づいて、当該ユーザが前記サービスを受けるまでの待ち時間を算出し、算出された当該待ち時間を示す情報を生成する待ち時間算出手段と、
前記待ち時間算出手段によって生成された前記待ち時間を示す情報を出力するユーザ通知手段と、
を備えることを特徴とする待ち時間通知サーバ。
【請求項２】
前記履歴情報は、
前記サービスの提供開始から当該サービスの提供を終了するまでのユーザごとに対応した平均的な当該サービスの提供時間を示す第１の平均サービス時間に関する情報である
ことを特徴とする請求項１に記載の待ち時間通知サーバ。
【請求項３】
前記履歴情報は、
曜日または日時の少なくとも一方に基づいて、当該曜日または当該日時に少なくとも２以上のユーザが前記サービスの提供を受けたときの平均提供時間を示す第２の平均サービス時間に関する情報である
ことを特徴とする請求項１または２に記載の待ち時間通知サーバ。
【請求項４】
前記履歴情報は、
年齢または性別の少なくとも一方に基づいて、当該年齢または当該性別に該当する少なくとも２以上のユーザが前記サービスの提供を受けたときの平均提供時間を示す第３の平均サービス時間に関する情報である
ことを特徴とする請求項１ないし３のいずれか１項に記載の待ち時間通知サーバ。
【請求項５】
前記履歴情報は、
前記曜日または前記日時に前記サービスの提供を受けたすべてのユーザの平均提供時間を示す第４の平均サービス提供時間に関する情報である
ことを特徴とする請求項３に記載の待ち時間通知サーバ。
【請求項６】
前記ユーザ識別情報受信手段は、
ネットワークを介して接続されたユーザ端末から前記ユーザ識別情報を受信し、
前記ユーザ通知手段は、
前記待ち時間算出手段によって生成された前記待ち時間を示す情報を前記ユーザ端末に出力する
ことを特徴とする請求項１ないし５のいずれか１項に記載の待ち時間通知サーバ。
【請求項７】
前記サービスの提供開始から当該サービスの提供を終了するまでのサービス提供時間を示す情報を取得するサービス提供時間取得手段を更に備え、
前記待ち時間算出手段は、
前記サービス提供時間取得手段によって取得された前記サービス提供時間を示す情報と、前記履歴情報蓄積手段に蓄積された前記履歴情報とに基づいて、前記待ち時間を算出するための更新履歴情報を生成し、生成された当該更新履歴情報を前記履歴情報として前記履歴情報蓄積手段に格納する
ことを特徴とする請求項１ないし６のいずれか１項に記載の待ち時間通知サーバ。
【請求項８】
ユーザ端末と、前記ユーザ端末とネットワークを介して通信接続を行う待ち時間通知サーバとを備えた待ち時間通知システムであって、
前記ユーザ端末は、
所定のサービスを受けるユーザを識別するユーザ識別情報を、前記ネットワークを介して送信するユーザ識別情報送信手段と、
前記待ち時間通知サーバによって通知される前記サービスを受けるまでの待ち時間を示す情報を、前記ネットワークを介して受信する待ち時間受信手段と、
前記待ち時間受信手段によって受信された前記待ち時間を示す情報を出力する待ち時間出力手段と、を備え、
前記待ち時間通知サーバは、
前記サービスの提供をユーザが受けたことを示す履歴情報を蓄積する履歴情報蓄積手段と、
ユーザを識別するためのユーザ識別情報を受信するユーザ識別情報受信手段と、
前記ユーザ識別情報受信手段によって受信された前記ユーザ識別情報に対応して、前記サービスを受けるための受付順序を示す予約受付情報を生成する予約受付生成手段と、
前記ユーザ識別情報受信手段によって識別された当該ユーザに対して、前記予約受付生成手段によって生成された前記予約受付情報と、前記履歴情報蓄積手段に蓄積された前記履歴情報に基づいて、当該ユーザが前記サービスを受けるまでの待ち時間を算出し、算出された当該待ち時間を示す情報を生成する待ち時間算出手段と、
前記待ち時間算出手段によって生成された前記待ち時間を示す情報を出力するユーザ通知手段と、
を備えることを特徴とする待ち時間通知システム。
【請求項９】
所定のサービスの提供をユーザが受けたことを示す履歴情報を蓄積する履歴情報蓄積ステップと、
ユーザを識別するためのユーザ識別情報を受信するユーザ識別情報受信ステップと、
前記ユーザ識別情報受信ステップで受信された前記ユーザ識別情報に対応して、前記サービスを受けるための受付順序を示す予約受付情報を生成する予約受付生成ステップと、
前記ユーザ識別情報受信ステップで識別された当該ユーザに対して、前記予約受付生成ステップで生成された前記予約受付情報と、前記履歴情報蓄積ステップで蓄積された前記履歴情報に基づいて、当該ユーザが前記サービスを受けるまでの待ち時間を算出し、算出された当該待ち時間を示す情報を生成する待ち時間算出ステップと、
前記待ち時間算出ステップで生成された前記待ち時間を示す情報を出力するユーザ通知ステップと、
を含むことを特徴とする待ち時間通知方法。
【請求項１０】
所定のサービスの提供をユーザが受けたことを示す履歴情報を蓄積する履歴情報蓄積手順と、
ユーザを識別するためのユーザ識別情報を受信するユーザ識別情報受信手順と、
前記ユーザ識別情報受信手順によって受信された前記ユーザ識別情報に対応して、前記サービスを受けるための受付順序を示す予約受付情報を生成する予約受付生成手順と、
前記ユーザ識別情報受信手順によって識別された当該ユーザに対して、前記予約受付生成手順によって生成された前記予約受付情報と、前記履歴情報蓄積手順で蓄積された前記履歴情報に基づいて、当該ユーザが前記サービスを受けるまでの待ち時間を算出し、算出された当該待ち時間を示す情報を生成する待ち時間算出手順と、
前記待ち時間算出手順で生成された前記待ち時間を示す情報を出力するユーザ通知手順と、
をコンピュータに実行させることを特徴とする待ち時間通知プログラム。
【発明の詳細な説明】
【技術分野】
【０００１】
本発明は、待ち時間通知サーバ、待ち時間通知システム、待ち時間通知方法および待ち時間通知プログラムに関する。
【背景技術】
【０００２】
患者が外来診察を受診する場合、該当する病院や医院に足を運び、診察の順番を確保する必要があった。この為、早く診察を受けたいという要求により、早朝から長蛇の列ができてしまい、予約に待ち時間が発生する、という問題があった。
【０００３】
また、予約番号を受け取っても、病院によっては、現在、何番目の患者が診察を受けているのかが不明であったり、闇雲に長時間待たされたりすることにより、結果として大混乱やトラブルを引き起こしていた。
【０００４】
そのため、患者には、多大な待ち時間と労力が強いられていた。一方、病院や医院でも、診察順序の問い合わせやスムーズな診察のための順序整理に、非常に多くの時間を割いていた。
【０００５】
そこで、外来診察予約システムに関するものが、特許文献１および２に開示されている。特許文献１には、予約可能な時間帯であって診察患者の定員が定数未満の場合のみ予約を受け付ける予約システムについて、記載されている。一方、特許文献２には、インターネットを介して診療予約を行う診療予約システムについて、記載されている。
【特許文献１】特開２０００−２００３１３号公報
【特許文献２】特開２００２−２９７７６３号公報
【発明の概要】
【発明が解決しようとする課題】
【０００６】
しかしながら、上記特許文献１及び２に記載されたものは、以下の点で改善の余地を有していた。
【０００７】
中小規模の病院や医院では、大規模な総合病院と異なり、外来診察のための予約についてシステム化がされていないところが多かった。そのため、外来患者は、診察まで長時間待たなければならなかった。また、外来診察のための予約についてシステム化がなされている病院であっても、外来患者は、システムにアクセスして現在診察中の診察受付番号を参照し、自分の診察の順番が近づいた頃を見計らって病院に向かう必要があった。
【０００８】
このため、診察予約を受けた患者は、自分の診察の順番が来るまで待合室で長時間待つことになる、あるいは診察が予定より早く進むと病院に到着する前に自分の診察の順番が来てしまい、自分の診察の順番が追い越されてしまう、という問題があった。
【０００９】
本発明は上記事情に鑑みてなされたものであり、その目的とするところは、待合室で長時間待つことなくタイミングよくサービスの提供を受けることができる待ち時間通知サーバ、待ち時間通知システム、待ち時間通知方法および待ち時間通知プログラムを提供することにある。
【課題を解決するための手段】
【００１０】
本発明によれば、所定のサービスの提供をユーザが受けたことを示す履歴情報を蓄積する履歴情報蓄積手段と、
ユーザを識別するためのユーザ識別情報を受信するユーザ識別情報受信手段と、
前記ユーザ識別情報受信手段によって受信された前記ユーザ識別情報に対応して、前記サービスを受けるための受付順序を示す予約受付情報を生成する予約受付生成手段と、
前記ユーザ識別情報受信手段によって識別された当該ユーザに対して、前記予約受付生成手段によって生成された前記予約受付情報と、前記履歴情報蓄積手段に蓄積された前記履歴情報に基づいて、当該ユーザが前記サービスを受けるまでの待ち時間を算出し、算出された当該待ち時間を示す情報を生成する待ち時間算出手段と、
前記待ち時間算出手段によって生成された前記待ち時間を示す情報を出力するユーザ通知手段と、
を備える待ち時間通知サーバが提供される。
【００１１】
また、本発明によれば、ユーザ端末と、前記ユーザ端末とネットワークを介して通信接続を行う待ち時間通知サーバとを備えた待ち時間通知システムであって、
前記ユーザ端末は、
所定のサービスを受けるユーザを識別するユーザ識別情報を、前記ネットワークを介して送信するユーザ識別情報送信手段と、
前記待ち時間通知サーバによって通知される前記サービスを受けるまでの待ち時間を示す情報を、前記ネットワークを介して受信する待ち時間受信手段と、
前記待ち時間受信手段によって受信された前記待ち時間を示す情報を出力する待ち時間出力手段と、を備え、
前記待ち時間通知サーバは、
前記サービスの提供をユーザが受けたことを示す履歴情報を蓄積する履歴情報蓄積手段と、
ユーザを識別するためのユーザ識別情報を受信するユーザ識別情報受信手段と、
前記ユーザ識別情報受信手段によって受信された前記ユーザ識別情報に対応して、前記サービスを受けるための受付順序を示す予約受付情報を生成する予約受付生成手段と、
前記ユーザ識別情報受信手段によって識別された当該ユーザに対して、前記予約受付生成手段によって生成された前記予約受付情報と、前記履歴情報蓄積手段に蓄積された前記履歴情報に基づいて、当該ユーザが前記サービスを受けるまでの待ち時間を算出し、算出された当該待ち時間を示す情報を生成する待ち時間算出手段と、
前記待ち時間算出手段によって生成された前記待ち時間を示す情報を出力するユーザ通知手段と、
を備える待ち時間通知システムが提供される。
【００１２】
また、本発明によれば、所定のサービスの提供をユーザが受けたことを示す履歴情報を蓄積する履歴情報蓄積ステップと、
ユーザを識別するためのユーザ識別情報を受信するユーザ識別情報受信ステップと、
前記ユーザ識別情報受信ステップで受信された前記ユーザ識別情報に対応して、前記サービスを受けるための受付順序を示す予約受付情報を生成する予約受付生成ステップと、
前記ユーザ識別情報受信ステップで識別された当該ユーザに対して、前記予約受付生成ステップで生成された前記予約受付情報と、前記履歴情報蓄積ステップで蓄積された前記履歴情報に基づいて、当該ユーザが前記サービスを受けるまでの待ち時間を算出し、算出された当該待ち時間を示す情報を生成する待ち時間算出ステップと、
前記待ち時間算出ステップで生成された前記待ち時間を示す情報を出力するユーザ通知ステップと、
を含む待ち時間通知方法が提供される。
【００１３】
また、本発明によれば、所定のサービスの提供をユーザが受けたことを示す履歴情報を蓄積する履歴情報蓄積手順と、
ユーザを識別するためのユーザ識別情報を受信するユーザ識別情報受信手順と、
前記ユーザ識別情報受信手順によって受信された前記ユーザ識別情報に対応して、前記サービスを受けるための受付順序を示す予約受付情報を生成する予約受付生成手順と、
前記ユーザ識別情報受信手順によって識別された当該ユーザに対して、前記予約受付生成手順によって生成された前記予約受付情報と、前記履歴情報蓄積手順で蓄積された前記履歴情報に基づいて、当該ユーザが前記サービスを受けるまでの待ち時間を算出し、算出された当該待ち時間を示す情報を生成する待ち時間算出手順と、
前記待ち時間算出手順で生成された前記待ち時間を示す情報を出力するユーザ通知手順と、
をコンピュータに実行させる待ち時間通知プログラムが提供される。
【発明の効果】
【００１４】
本発明によれば、待合室で長時間待つことなくタイミングよくサービスの提供を受けることができる待ち時間通知サーバ、待ち時間通知システム、待ち時間通知方法および待ち時間通知プログラムが提供される。
【図面の簡単な説明】
【００１５】
【図１】本発明の実施の形態に係る診察予約サーバを示した機能ブロック図である。
【図２】本実施形態に係る診察予約通知システムの概略を示した概略図である。
【図３】本実施形態に係る携帯電話端末を示した機能ブロック図である。
【図４】本実施形態に係る診察予約サーバを示したハードウェアブロック図である。
【図５】本実施形態に係る携帯電話端末を示したハードウェアブロック図である。
【図６】本実施形態に係る診察予約サーバまたは携帯電話端末に診察受付番号と待ち時間が表示されたときの一例を示した図である。
【図７】本実施形態に係る診察予約サーバまたは携帯電話端末に一定時間経過後の待ち時間が通知されたときの一例を示した図である。
【図８】本実施形態に係る診察予約サーバまたは携帯電話端末に一定時間経過後に再計算した待ち時間が通知されたときの一例を示した図である。
【図９】本実施形態に係る携帯電話端末と診察予約サーバの処理を示したシーケンス図である。
【図１０】本実施形態に係る診察予約サーバの待ち時間通知処理を示したフローチャートである。
【図１１】本実施形態の変形例に係る診察予約サーバを示した機能ブロック図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
図１は、本実施の形態にかかる診察予約サーバ（待ち時間通知サーバ）１００を示した機能ブロック図である。
【００１８】
図１に示した診察予約サーバ１００は、履歴情報蓄積部１６０、ユーザ識別情報受信部１１０、予約受付生成部１２０、待ち時間算出部１３０、ユーザ通知部１４０を備えている。履歴情報蓄積部１６０は、診察（所定のサービスの提供）を患者（ユーザ）が受けたことを示す履歴情報を蓄積する。ユーザ識別情報受信部１１０は、診察を受ける患者を識別するための診察券番号（ユーザ識別情報）を受信する。予約受付生成部１２０は、ユーザ識別情報受信部１１０によって受信された診察券番号に対応して、診察を受けるための受付順序を示す診察受付番号（予約受付情報）を生成する。待ち時間算出部１３０は、ユーザ識別情報受信部１１０によって識別されたその患者に対して、予約受付生成部１２０によって生成された診察受付番号と、履歴情報蓄積部１６０に蓄積された履歴情報に基づいて、その患者が診察を受けるまでの待ち時間を算出し、算出されたその待ち時間を示す情報を生成する。ユーザ通知部１４０は、待ち時間算出部１３０によって生成された待ち時間を示す情報を出力する。
【００１９】
なお、本実施の形態では、履歴情報は、診察開始からその診察を終了するまでの患者ごとに対応した平均的な診察時間を示す第１の平均診察時間（第１の平均サービス時間）に関する情報とする。
【００２０】
ユーザ識別情報受信部１１０は、後述する携帯電話網３００を介して、携帯電話端末２００から診察券番号を受信する。ユーザ識別情報受信部１１０は、受信した診察券番号を予約受付生成部１２０へ送信する。
【００２１】
予約受付生成部１２０は、ユーザ識別情報受信部１１０によって受信された診察券番号に対応して、診察を受けるための受付順序を示す診察受付番号を生成する。予約受付生成部１２０は、生成された診察受付番号と診察券番号を待ち時間算出部１３０に送信する。
【００２２】
待ち時間算出部１３０は、ユーザ識別情報受信部１１０によって識別されたその患者に対して、予約受付生成部１２０によって生成された診察受付番号と、履歴情報蓄積部１６０に蓄積された履歴情報に基づいて、その患者が診察を受けるまでの待ち時間を算出する。そして、待ち時間算出部１３０は、算出されたその待ち時間を示す情報を生成し、生成された待ち時間を示す情報を、ユーザ通知部１４０に送信する。
【００２３】
ユーザ通知部１４０は、待ち時間算出部１３０によって生成された待ち時間を示す情報を受信し、その待ち時間を示す情報を出力する。
【００２４】
履歴情報蓄積部１６０は、診察を患者が受けたことを示す履歴情報を蓄積する。
【００２５】
本実施の形態では、第１の平均診察時間として、診察開始からその診察が終了するまでに要する患者ごとの平均診察時間が、履歴情報蓄積部１６０に蓄積されている。
【００２６】
このように、本実施の形態では、ユーザ識別情報受信部１１０は、携帯電話網３００を介して携帯電話端末２００から診察券番号を取得する。待ち時間算出部１３０は、予約受付生成部１２０によって生成された診察受付番号と他の患者の診察券番号の第１の平均診察時間に基づいて、患者ごとの待ち時間を算出する。そして、ユーザ通知部１４０は、算出された待ち時間を示す情報を出力する。なお、ユーザ通知部１４０が待ち時間を示す情報を出力する先は、予約サーバ１００の表示部１０８であってもよいし、携帯電話端末２００の表示部２０８であってもよい。
【００２７】
これにより、本実施の形態によれば、診察受付番号による待ち人数と、患者ごとの第１の平均診察時間に基づいて、患者ごとの待ち時間を算出することができるので、診察の予約が受け付けられた患者は、正確な待ち時間を取得することができる。
【００２８】
なお、本実施の形態では、待ち時間算出部１３０は、患者ごとの第１の平均診察時間に基づいて、患者ごとに待ち時間を算出するようになっていたが、本実施の形態はこれに限定されるものではない。
【００２９】
例えば、待ち時間算出部１３０は、ユーザ識別情報受信部１１０によって識別された患者に対し、予約受付生成部１２０によって生成された診察受付番号に基づいて、診察を受けるまでの待ち時間を所定のタイミングで算出し、算出されたその待ち時間を示す情報を生成してもよい。
【００３０】
具体的には、ユーザ識別情報受信部１１０は、診察を受ける患者を識別するための診察券番号（ユーザ識別情報）を受信してもよい。また、予約受付生成部１２０は、ユーザ識別情報受信部１１０によって受信された診察券番号に対応して、診察を受けるための受付順序を示す診察受付番号（予約受付情報）を生成してもよい。そして、待ち時間算出部１３０は、ユーザ識別情報受信部１１０によって識別された患者に対し、予約受付生成部１２０によって生成された診察受付番号に基づいて、診察を受けるまでの待ち時間を所定のタイミングで算出し、算出されたその待ち時間を示す情報を生成してもよい。さらに、ユーザ通知部１４０は、待ち時間算出部１３０によって生成された待ち時間を示す情報を出力してもよい。
【００３１】
この場合、待ち時間算出部１３０は、一人あたりの診察時間を、例えば、５分と想定して、診察を待つ待ち人数に５分を乗算することにより、現在からの待ち時間を算出することができる。
【００３２】
また、本実施の形態では、待ち時間算出部１３０は、待ち時間が算出されたのち、例えば、３０分や１時間などの時間間隔（所定の第１の時間間隔）で、現時点から診察を受けるまでの待ち時間（第１の待ち時間）を繰り返し算出してもよい。そして、ユーザ通知部１４０は、待ち時間算出部１３０によって算出された現時点からの第１の待ち時間を示す情報を出力してもよい。
【００３３】
また、本実施の形態では、待ち時間を算出するタイミングは、例えば、予め設定された３０分や１時間など（第２の時間）の経過を示す時間情報である。このとき、待ち時間算出部１３０は、第１の患者の診察受付番号に基づいて第１の患者より先に診察を受ける他の患者を求め、他の患者ごとに提供される診察の各診察時間に基づいて、第１の患者が現時点から診察を受けるまでの待ち時間を、３０分が経過したときに算出してもよい。そして、ユーザ通知部１４０は、その３０分が経過したときに算出された待ち時間を示す情報を出力してもよい。
【００３４】
また、本実施の形態では、待ち時間を算出するタイミングは、例えば、患者ごとに診察が終了したことを示す診察終了タイミングである。このとき、待ち時間算出部１３０は、第１の患者の診察受付番号に基づいて第１の患者より先に診察を受ける他の患者を求め、他の患者ごとに提供される診察の各診察時間に基づいて、第１の患者が現時点から診察を受けるまでの待ち時間を、他の患者の診察が終了した診察終了タイミングで算出してもよい。そして、ユーザ通知部１４０は、その診察が終了したときに算出されたその待ち時間を示す情報を出力してもよい。
【００３５】
また、本実施の形態では、待ち時間算出部１３０によって算出された待ち時間が、例えば、第１の閾値時間（例えば、２時間など）以内か否か判定する閾値時間判定部１８０を更に備えてもよい。このとき、ユーザ通知部１４０は、閾値時間判定部１８０の判定結果に基づいて、その待ち時間を示す情報を出力してもよい。
【００３６】
この場合、例えば、診察の予約を受け付けたときの待ち時間が１時間であったにも関わらず、他の患者の診察の影響や急患などにより、待ち時間が第１の閾値時間である２時間を超えてしまった場合に、その待ち時間を通知する。
【００３７】
これにより、診察を待っている患者は、状況に応じた正確な待ち時間を取得することができるので、病院の待合室で長時間待つことを回避することができる。
【００３８】
なお、本実施の形態では、閾値時間判定部１８０は、ユーザ通知部１４０に設けられているが、本実施の形態はこれに限定されるものではない。
【００３９】
更に、本実施の形態では、サービス提供時間取得部１７０と、電子メールアドレス格納部１５０とを備えている。
【００４０】
サービス提供時間取得部１７０は、診察開始からその診察を終了するまでの診察時間を示す情報を取得する。なお、この診察時間を示す情報は、医師が診察開始と診察終了を入力してもよく、あるいは、患者が診察室を入退室する際のドアの開閉により、診察時間を示す情報を取得するようにしてもよい。
【００４１】
なお、本実施の形態では、医師が患者を診察する度に診察開始日時と診察終了日時を入力する。これにより、サービス提供時間取得部１７０は、診察時間を算出することとする。
【００４２】
待ち時間算出部１３０は、サービス提供時間取得部１７０によって取得された診察時間を示す情報と、履歴情報蓄積部１６０に蓄積された履歴情報とに基づいて、待ち時間を示す更新履歴情報を生成し、生成されたその更新履歴情報を履歴情報として履歴情報蓄積部１６０に格納する。
【００４３】
これにより、本実施の形態では、待ち時間算出部１３０は、生成された更新履歴情報を履歴情報として履歴情報蓄積部１６０に格納することができるので、患者ごとの第１の平均診察時間を更新することができる。
【００４４】
電子メールアドレス格納部１５０は、診察券番号に対応づけられた電子メールアドレスを格納する。そして、ユーザ通知部１４０は、ユーザ識別情報受信部１１０によって受信された診察券番号に対応づけられた電子メールアドレスが格納されているときには、その電子メールアドレスに待ち時間を示す情報を出力する。
【００４５】
これにより、診察の予約を行った患者は、自分の携帯電話端末２００に待ち時間を示す情報を取得することができるので、わざわざ病院に行かなくても待ち時間を知ることができる。
【００４６】
図２は、本実施の形態に係る診察予約通知システム（待ち時間通知システム）の概略を示した概略構成図である。図２に示す診察予約通知システムは、診察予約サーバ１００と、携帯電話端末２００と、携帯電話網（ネットワーク）３００とを備えている。
【００４７】
診察予約サーバ１００は、例えば、病院や医院に設置される診察の予約を受け付ける診察予約サーバである。
【００４８】
携帯電話端末２００は、例えば、患者が通常使用する携帯電話端末である。
【００４９】
携帯電話網３００は、診察予約サーバ１００と携帯電話端末２００を通信接続する携帯電話の電話網である。
【００５０】
これにより、ユーザ識別情報受信部１１０は、携帯電話網３００を介して接続された携帯電話端末２００から、診察券番号を受信する。また、ユーザ通知部１４０は、待ち時間算出部１３０によって生成された待ち時間を示す情報を、携帯電話網３００を介して携帯電話端末２００に出力する。
【００５１】
このように、本実施の形態では、患者は、携帯電話端末２００を有しており、その携帯電話端末２００を用いて、病院の診察の予約を行うことができる。
【００５２】
なお、本実施の形態では、携帯電話端末２００を用いて予約する場合について説明するが、本実施の形態はこれに限定されるものではない。例えば、患者は、パソコンを有しており、そのパソコンを用いることにより、インターネット網を経由して、診察予約サーバ１００に診察の予約を行う形態であってもよい。
【００５３】
図３は、本実施の形態にかかる携帯電話端末２００を示した機能ブロック図である。
【００５４】
図３に示した携帯電話端末２００は、ユーザ識別情報送信部２１０、待ち時間受信部２２０、待ち時間出力部２３０を備えている。ユーザ識別情報送信部２１０は、診察を受ける患者を識別する診察券番号を、携帯電話網３００を介して診察予約サーバ１００に送信する。待ち時間受信部２２０は、診察予約サーバ１００によって通知される患者が診察を受けるまでの待ち時間を、携帯電話網３００を介して受信する。待ち時間出力部２３０は、待ち時間受信部２２０によって受信された待ち時間を示す情報を出力する。
【００５５】
図４は、本実施の形態にかかる診察予約サーバ１００を示したハードウェアブロック図である。
【００５６】
図４に示す診察予約サーバ１００は、全体を統括制御するＣＰＵ（Central Processing Unit）１０１と、基本プログラムや各種アプリケーションプログラムが格納されているＲＯＭ（Read Only Memory）１０２を備えている。また、診察予約サーバ１００は、作業領域や記憶領域として記憶可能なＲＡＭ（Random Access Memory）１０３と、様々なデータを格納するデータ格納部１０４と、を備えている。また、診察予約サーバ１００は、携帯電話端末２００と通信接続するためのネットワークインターフェース部１０５を備えている。また、診察予約サーバ１００は、患者の診察券番号、過去の診察履歴、診察開始日時、診察終了日時、診察時間および平均診察時間を格納する診察受付データベース１０６と、現在受診中の受診番号と待ち時間を表示する表示部１０８と、を備えている。また、ＣＰＵ１０１、ＲＯＭ１０２、ＲＡＭ１０３、データ格納部１０４、ネットワークインターフェース部１０５、診察受付データベース１０６および表示部１０８は、バス１０７を介して相互に接続されている。
【００５７】
本実施の形態では、診察予約サーバ１００は、ＣＰＵ１０１がＲＯＭ１０２から各種プログラムを読み出して、ＲＡＭ１０３上で以下の示す手順を実行することにより、各種機能を実現することができる。
（ａ）所定のサービスの提供をユーザが受けたことを示す履歴情報を蓄積する。
（ｂ）ユーザを識別するためのユーザ識別情報を受信する。
（ｃ）（ｂ）の手順によって受信されたユーザ識別情報に対応して、サービスを受けるための受付順序を示す予約受付情報を生成する。
（ｄ）（ｂ）の手順によって識別された当該ユーザに対して、（ｃ）の手順によって生成された予約受付情報と、（ａ）の手順で蓄積された履歴情報に基づいて、当該ユーザがサービスを受けるまでの待ち時間を算出し、算出された当該待ち時間を示す情報を生成する。
（ｅ）（ｄ）の手順で生成された待ち時間を示す情報を出力する。
【００５８】
図５は、本実施の形態にかかる携帯電話端末２００を示したハードウェアブロック図である。
【００５９】
図５に示す携帯電話端末２００は、全体を統括制御するＣＰＵ２０１と、基本プログラムや各種アプリケーションプログラムが格納されているＲＯＭ２０２を備えている。また、携帯電話端末２００は、作業領域や記憶領域として記憶可能なＲＡＭ２０３と、診察予約サーバ１００と接続するためのモバイルインターフェース部２０４と、を備えている。また、携帯電話端末２００は、音声通話を行うための通話先の音声を出力する音声出力部２０５と、患者の音声を取得するマイク部２０６と、電話番号の発信、着信もしくは保留を構成するキー入力部２０７と、を備えている。また、携帯電話端末２００は、患者の診察受付番号と、現在診察中の受付番号と、予想される待ち時間（予想待ち時間ともいう。）を表示する表示部２０８を備えている。また、携帯電話端末２００は、ＣＰＵ２０１に接続されたバス２０９を介して、図５に示された構成要素と相互に接続されている。
【００６０】
本実施の形態では、携帯電話端末２００は、ＣＰＵ２０１がＲＯＭ２０２から各種プログラムを読み出して、ＲＡＭ２０３上で実行することにより、各種機能を実現することができる。
【００６１】
次に、図６は、診察予約サーバ１００の表示部１０８や携帯電話端末２００の表示部２０８に、診察受付番号と待ち時間が表示されたときの一例を示した図である。図６では、患者の診察受付番号は、２８番であり、現在診察中の受付番号は、１３番であり、予想待ち時間は、約７５分であることを示している。
【００６２】
また、本実施の形態では、待ち時間算出部１３０は、待ち時間を算出してから所定時間経過後に、算出された待ち時間から所定時間との差分を求め、その差分となる残りの待ち時間を患者に通知するようにしてもよい。
【００６３】
この場合、各患者は、所定の時間経過後に、残りの待ち時間が通知されるので、当初算出された待ち時間に合わせて病院に向かうことができる。また、上述したように、所定の時間経過ごとに継続的に繰り返し通知するようにしてもよい。
【００６４】
図７は、待ち時間を算出してから所定の時間（例えば、１時間）経過した後、診察予約サーバ１００の表示部１０８または携帯電話端末２００の表示部２０８に、診察受付番号と現在診察中の受付番号と予想待ち時間が表示されたときの一例を示した図である。図７では、図６の通知から約１時間が経過した後に、現在診察中の受付番号は２５番であり、予想待ち時間は約１５分であることを示している。
【００６５】
なお、図７では、図６の待ち時間を算出してから約１時間経過後に、診察受付番号と現在診察中の受付番号と予想待ち時間とをユーザに出力するようになっているが、本実施の形態はこれに限定されるものではない。
【００６６】
例えば、最初に待ち時間を算出してから約１時間経過後に、再度、待ち時間算出部１３０が患者ごとの予想待ち時間を算出し、算出された患者ごとの予想待ち時間を、更新された予想待ち時間として各患者に通知するようにしてもよい。
【００６７】
図８は、図６に示した予想待ち時間を通知してから約１時間経過後に、診察予約サーバ１００の表示部１０８または携帯電話端末２００の表示部２０８に、再計算した待ち時間が通知されたときの一例を示した図である。
【００６８】
図８では、待ち時間算出部１３０が待ち時間を再度算出した結果を示したものであり、患者の診察券番号の受付番号は２８番であり、現在診察中の番号は２３番であり、予想待ち時間は約２５分であることを示している。
【００６９】
この場合、約１時間経過後に、患者の診察券番号の受付番号と現在診察中の受付番号とに基づいて、再度待ち時間が算出されるので、予想される待ち時間の精度を向上させることができる。また、本実施の形態では、１時間経過に限定されるものではなく、１５分ごとや３０分ごとに再計算する形態であってもよい。
【００７０】
また、上述したように、患者ごとの第１の平均診察時間を適用するとともに、所定時間経過ごとに再計算するようにしてもよい。
【００７１】
これにより、当初の予想待ち時間が約７５分であったが、約１時間経過後に待ち時間の再計算を行うことにより、残りの待ち時間が約１５分から約２５分に更新されるので、患者は、予想待ち時間が約１０分増えていることを認識することができる。
【００７２】
従って、患者は、病院に向かう時間を約１０分遅らせることができるので、病院の待合室で長く待たされることを回避することができる。
【００７３】
また、本実施の形態では、上述したように、待ち時間算出部１３０によって算出された待ち時間が、例えば、第１の閾値時間以内か否か判定する閾値時間判定部１８０を更に備えてもよい。この場合、ユーザ通知部１４０は、閾値時間判定部１８０の判定結果に基づいて、予想待ち時間を示す情報を出力することができる。
【００７４】
例えば、図８で示した予想待ち時間が３０分を超える場合や予想待ち時間が５分未満となった場合に、ユーザ通知部１４０は、別途、診察券番号の受付番号と現在診察中の受付番号と予想待ち時間とを通知することができる。
【００７５】
あるいは、閾値時間判定部１８０は、再算出後の待ち時間と当初の待ち時間との差分を算出し、その差分が第２の閾値時間を超えるか否かを判定してもよい。この場合、ユーザ通知部１４０は、差分が第２の閾値時間を超えるとき、再計算後の待ち時間を患者に通知してもよい。例えば、再算出後の待ち時間と当初の待ち時間との差分が３０分を超える場合に、ユーザ通知部１４０は、別途、診察券番号の受付番号と現在診察中の受付番号と予想待ち時間とを通知することができる。
【００７６】
これにより、患者は、より正確な待ち時間を取得することができ、病院の待合室で長時間待たされることを回避することができるので、待合室でウィルスなどによる院内感染を予防することができる。
【００７７】
なお、上述した各種構成は、任意に組み合わせることが可能であり、診察予約サーバ１００に所望する構成を、適宜設定することができる。
【００７８】
次に、本実施の形態に係る診察予約通知システムの全体動作について、図面を用いて説明する。
【００７９】
図９は、本実施の形態に係る診察予約通知システムの全体動作を示したシーケンス図である。図９に示したシーケンス図では、まず携帯電話端末２００が、携帯電話網３００を介して診察予約サーバ１００に診察券番号を通知する（ステップＳ０１０）。
【００８０】
ユーザ識別情報受信部１１０は、携帯電話網３００を介して携帯電話端末２００から診察券番号を受信する。予約受付生成部１２０は、診察の予約を受け付けたことを示す診察受付番号を生成し、ユーザ通知部１４０を介して携帯電話端末２００に診察受付番号を送信する（ステップＳ０２０）。
【００８１】
また、携帯電話端末２００は、診察券番号に対応する電子メールアドレスがキー入力部２０７から入力され、その電子メールアドレスを、携帯電話網３００を介して診察予約サーバ１００に送信する（ステップＳ０３０）。診察予約サーバ１００は、携帯電話端末２００から診察券番号に対応する電子メールアドレスを受信すると、診察券番号に対応づけて電子メールアドレス格納部１５０に登録し、電子メールアドレスを登録した旨の応答を送信する（ステップＳ０４０）。
【００８２】
したがって、診察予約サーバ１００は、電子メールアドレス格納部１５０に診察券番号に対応した患者ごとの電子メールアドレスを登録することができるとともに、待ち時間算出部１３０において患者ごとに予想待ち時間を算出することができる。これにより、ユーザ通知部１４０は、待ち時間算出部１３０において算出された予想待ち時間を、電子メールアドレスを用いて患者ごとに通知することができる（ステップＳ０５０）。
【００８３】
なお、本実施の形態は、患者が診察の予約を行ったときに、待ち時間算出部１３０が予想される待ち時間を算出して、携帯電話端末２００に予想待ち時間を通知するだけでなく、所定の時間間隔で、予想待ち時間を通知してもよい。
【００８４】
また、患者が診察の予約をキャンセルする場合には、携帯電話端末２００は、携帯電話網３００を介して、診察予約サーバ１００へ予約受付情報である診察受付番号を取り消すことを示すキャンセル通知を送信する（ステップＳ０６０）。
【００８５】
この場合、ユーザ識別情報受信部１１０がキャンセル通知を受信すると、予約受付生成部１２０は、キャンセル通知を送信した診察券番号の診察受付番号の予約の取り消しを行う。そして、待ち時間算出部１３０は、予約されている診察受付番号と平均診察時間とから待ち時間を再度算出し、予想待ち時間の更新の通知を行う（ステップＳ０７０）。
【００８６】
なお、上述した診察予約通知システムにおいて、電子メールアドレスは一度、電子メールアドレス格納部１５０に登録すればよく、また、すでに登録されている場合には、電子メールアドレスを登録する処理は省略することができる。
【００８７】
また、ステップＳ０２０で示した診察受付番号の送信とステップＳ０５０で示した待ち時間の通知は、説明上、それぞれ別処理として説明しているが、本実施の形態ではそれぞれ別処理する必要はなく、以下に説明するように同時に処理して出力することができる。
【００８８】
次に、本実施の形態に係る診察予約サーバ１００の待ち時間通知処理について、図面を用いて説明する。
【００８９】
図１０は、本実施の形態に係る診察予約サーバ１００の待ち時間通知処理を示したフローチャートである。図１０に示したフローチャートにおいて、ユーザ識別情報受信部１１０は、携帯電話網３００を介して携帯電話端末２００から診察券番号を受信する（ステップＳ１１０）。
【００９０】
ユーザ識別情報受信部１１０は、受信した診察券番号を予約受付生成部１２０に送信する。予約受付生成部１２０は、診察券番号を受診すると、診察受付番号を生成し（ステップＳ１３０）、その診察受付番号を待ち時間算出部１３０に送信する。
【００９１】
待ち時間算出部１３０は、まず、現在診察中の診察受付番号と予約が受け付けられた診察受付番号とから、診察を待っている患者の診察券番号を抽出する。そして、待ち時間算出部１３０は、抽出された診察券番号に対応した患者ごとの第１の平均診察時間から、予約が受け付けられた診察受付番号の患者が診察を受けるまでの予想待ち時間を算出する（ステップＳ１５０）。
【００９２】
待ち時間算出部１３０は、算出された待ち時間を示す情報を生成し、その待ち時間を示す情報をユーザ通知部１４０に送信する。ユーザ通知部１４０は、算出された待ち時間を示す情報を受信すると、その予想待ち時間を、診察予約サーバ１００の表示部１０８または携帯電話端末２００の表示部２０８に出力する（ステップＳ１７０）。
【００９３】
この場合、ユーザ通知部１４０は、電子メールアドレス格納部１５０に診察券番号に対応づけられた電子メールアドレスが登録されているとき、その登録されている電子メールアドレスに待ち時間を示す情報を送信する。
【００９４】
以上説明したように本実施の形態によれば、待ち時間算出部１３０は、診察受付番号と現在診察中の受診番号とに基づいて、患者ごとに待ち時間を算出することができるので、診察予約サーバ１００や携帯電話端末２００に予想待ち時間を通知することができる。
【００９５】
これにより、診察の予約が受け付けられた患者は、病院の待合室で長時間待つことなくタイミングよく診察を受けることができる。
【００９６】
以上、図面を参照して本発明の実施形態について述べたが、これらは本実施の形態の例示であり、上記以外の様々な構成を採用することもできる。
【００９７】
例えば、履歴情報は、診察開始からその診察を終了するまでの患者ごとに対応した第１の平均診察時間に関する情報であったが、本実施の形態はこれに限定されるものではない。
【００９８】
例えば、履歴情報は、曜日または日時の少なくとも一方に基づいて、その曜日またはその日時に少なくとも２以上の患者が診察を受けたときの平均診察時間（平均提供時間）を示す第２の平均診察時間（第２の平均サービス時間）に関する情報であってもよい。
【００９９】
この場合、ある曜日や日時の平均診察時間を用いることにより、待ち時間算出部１３０が算出する待ち時間の精度を向上させることができる。例えば、月曜日の午前中は、水曜日の午後に比べて平均診察時間が長いので、この第２の平均診察時間と待ち人数を乗算することにより、月曜日の午前中における予想待ち時間を高精度に算出することができる。
【０１００】
また、例えば、履歴情報は、年齢または性別の少なくとも一方に基づいて、その年齢またはその性別に該当する少なくとも２以上の患者が診察を受けたときの平均診察時間（平均提供時間）を示す第３の平均診察時間（第３の平均サービス時間）に関する情報であってもよい。
【０１０１】
この場合、ある年齢や性別の平均診察時間を用いることにより、待ち時間算出部１３０が算出する待ち時間の精度を向上させることができる。例えば、小学生男子の健康診断時には、中学生女子の健康診断に比べて平均診察時間が短いので、この第３の平均診察時間と待ち人数を乗算することにより、小学生男子の診察の予想待ち時間を高精度に算出することができる。
【０１０２】
また、例えば、履歴情報は、曜日または日時に診察を受けたすべての患者の平均診察時間（平均提供時間）を示す第４の平均診察時間（第４の平均サービス提供時間）に関する情報であってもよい。
【０１０３】
この場合、ある曜日や日時に診察を受けたすべての患者の平均診察時間を用いることにより、待ち時間算出部１３０が算出する待ち時間の精度を向上させることができる。例えば、１２月の金曜日の午後は、他の月の金曜日の午後よりも、風邪やインフルエンザなどによる検査を要する診察が多く、平均診察時間が長いと推測される。この第４の平均診察時間と待ち人数を乗算することにより、１２月の金曜日の午後における予想待ち時間を高精度に算出することができる。
【０１０４】
また、本実施の形態では、携帯電話端末２００が携帯電話網３００を介して診察予約サーバ１００に通信接続を行い、診察予約をする場合について説明したが、本実施の形態はこれに限らず、例えば、公衆電話網である電話回線を用いた形態であってもよい。
【０１０５】
図１１は、上述の実施形態の変形例に係る診察予約サーバ４００の機能を模式的に示した機能ブロック図である。図１１に示す診察予約サーバ４００は、図１の診察予約サーバ１００の電子メールアドレス格納部１５０の代わりに電話網接続部１９０を備えている。それ以外は、診察予約サーバ１００の構成と同様であるため、適宜、必要なところについて説明する。
【０１０６】
図１１に示す診察予約サーバ４００は、電話網に接続された電話端末（図示せず）と音声通話を用いた通信接続を行う電話網接続部１９０を、更に備えている。そして、ユーザ識別情報受信部１１０は、電話網接続部１９０によって通信接続された電話端末から診察券番号を受信する。予約受付生成部１２０は、ユーザ識別情報受信部１１０によって受信されたその診察券番号に対応して、診察受付情報を生成する。待ち時間算出部１３０は、予約受付生成部１２０によって生成されたその診察受付情報と、履歴情報蓄積部１６０に蓄積された履歴情報に基づいて、診察券番号に対応する患者の待ち時間を示す情報を生成する。ユーザ通知部１４０は、待ち時間算出部１３０によって生成された待ち時間を示す情報を、音声通話を用いた音声メッセージにより出力する。
【０１０７】
これにより、診察予約サーバ４００は、プッシュ式の公衆電話網であっても、診察予約サーバ４００の指定番号に電話をかけることにより、プッシュボタンを用いて診察券番号を入力し、診察受付番号と待ち時間情報を音声メッセージにより取得することができる。
【０１０８】
なお、本実施の形態の各種の構成要素は、その機能を実現するように形成されていればよい。例えば、所定の機能を発揮する専用のハードウェア、所定の機能がコンピュータプログラムにより付与されたサーバ、コンピュータプログラムにより携帯機器に実現された所定の機能、これらの任意の組み合わせ、等として実現することができる。
【０１０９】
また、本実施の形態の各種の構成要素は、個々に独立した存在である必要はない。複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でもよい。
【０１１０】
また、本実施の形態の診察時間通知処理に関しては、複数のステップを順番に記載してあるが、その記載の順番は複数のステップを実行する順番を必ずしも限定するものではない。このため、本実施の形態に係る方法を実施するときには、その複数のステップの順番は内容的に支障しない範囲で変更することができる。
【０１１１】
また、本実施の形態の上記方法の複数のステップは個々に相違するタイミングで実行されることに限定されない。このため、あるステップの実行中に他のステップが発生すること、あるステップの実行タイミングと他のステップの実行タイミングとの一部ないし全部が重複していること、等でもよい。
【０１１２】
また、本実施の形態の診察予約サーバ１００は、診察券番号や待ち時間を示す情報の送受信ができる情報処理装置、ＣＰＵ、ＲＯＭ、ＲＡＭ、Ｉ／Ｆ（Interface）ユニット、等の汎用デバイスで構築されたハードウェア、所定の情報処理を実行するように構築された専用の論理回路、これらの組み合わせ、等として実施することができる。
【０１１３】
なお、本実施形態では、診察までの待ち時間を算出するために、診察開始から診察終了までを診察時間（サービスの提供時間）としているが、本実施の形態はこれに限定されるものではない。例えば、美容院や理髪店に適用することも可能であり、この場合、ヘアの要望を伺うところからヘアセット完了までをサービスの提供時間とすることができる。
【０１１４】
（付記１）
サービスを受けるユーザを識別するユーザ識別情報を受信するユーザ識別情報受信手段と、前記ユーザ識別情報受信手段によって受信された前記ユーザ識別情報に対応して、前記サービスを受けるための受付順序を示す予約受付情報を生成する予約受付生成手段と、前記ユーザ識別情報受信手段によって識別された当該ユーザに対し、前記予約受付生成手段によって生成された前記予約受付情報に基づいて、前記サービスを受けるまでの待ち時間を所定のタイミングで算出し、算出された当該待ち時間を示す情報を生成する待ち時間算出手段と、前記待ち時間算出手段によって生成された前記待ち時間を示す情報を出力するユーザ通知手段と、を備えることを特徴とする待ち時間通知サーバ。
【０１１５】
（付記２）
前記待ち時間算出手段は、前記待ち時間が算出されたのち、所定の第１の時間間隔で、現時点から前記サービスを受けるまでの第１の待ち時間を繰り返し算出し、前記ユーザ通知手段は、前記待ち時間算出手段によって算出された前記現時点からの前記第１の待ち時間を示す情報を出力することを特徴とする待ち時間通知サーバ。
【０１１６】
（付記３）
前記タイミングは、予め設定された第２の時間の経過を示す時間情報であり、前記待ち時間算出手段は、第１のユーザの前記予約受付情報に基づいて、前記第１のユーザより先にサービスを受ける他のユーザを求め、前記他のユーザごとに提供されるサービスの各サービス提供時間に基づいて、前記第１のユーザが現時点からサービスを受けるまでの前記待ち時間を前記第２の時間が経過したときに算出し、前記ユーザ通知手段は、当該第２の時間が経過したときに算出された当該待ち時間を示す情報を出力することを特徴とする待ち時間通知サーバ。
【０１１７】
（付記４）
前記タイミングは、前記ユーザごとにサービスの提供が終了したことを示すサービス提供終了タイミングであり、前記待ち時間算出手段は、前記予約受付情報に基づく第１のユーザが前記サービスを受けるまでの他のユーザと、サービスが前記他のユーザごとに提供される各サービス提供時間とに基づいて、前記第１のユーザが現時点からサービスを受けるまでの待ち時間を前記他のユーザの前記サービス提供終了タイミングで算出し、前記ユーザ通知手段は、当該サービスの提供が終了したときに算出された当該待ち時間を示す情報を出力することを特徴とする待ち時間通知サーバ。
【０１１８】
（付記５）
前記待ち時間算出手段によって算出された前記待ち時間が第１の閾値時間以内か否か判定する閾値時間判定手段を更に備え、前記ユーザ通知手段は、前記閾値時間判定手段の判定結果に基づいて、当該待ち時間を示す情報を出力することを特徴とする待ち時間通知サーバ。
【０１１９】
（付記６）
前記ユーザ識別情報受信手段は、ネットワークを介して接続されたユーザ端末から前記ユーザ識別情報を受信し、前記ユーザ通知手段は、前記待ち時間算出手段によって生成された前記待ち時間を示す情報を前記ユーザ端末に出力することを特徴とする待ち時間通知サーバ。
【０１２０】
（付記７）
前記ユーザ識別情報に対応づけられた電子メールアドレスを格納する電子メールアドレス格納手段を、更に備え、前記ユーザ通知手段は、前記ユーザ識別情報受信手段によって受信された前記ユーザ識別情報に対応づけられた前記電子メールアドレスが格納されているとき、当該電子メールアドレスに前記待ち時間を示す情報を出力することを特徴とする待ち時間通知サーバ。
【０１２１】
（付記８）
電話網に接続された電話端末に対し、音声通話を用いた通信接続を行う電話網接続手段を、更に備え、前記ユーザ識別情報受信手段は、前記電話網接続手段によって通信接続された前記電話端末から前記ユーザ識別情報を受信し、前記予約受付生成手段は、前記ユーザ識別情報受信手段によって受信された当該ユーザ識別情報に対応して、前記予約受付情報を生成し、前記待ち時間算出手段は、前記予約受付生成手段によって生成された当該予約受付情報と、前記履歴情報蓄積手段に蓄積された前記履歴情報に基づいて、当該ユーザ識別情報に対応するユーザの待ち時間を示す情報を生成し、前記ユーザ通知手段は、前記待ち時間算出手段によって生成された前記待ち時間を示す情報を、前記音声通話を用いた音声メッセージにより出力することを特徴とする待ち時間通知サーバ。
【０１２２】
（付記９）
ユーザ端末と、前記ユーザ端末とネットワークを介して通信接続を行う待ち時間通知サーバとを備えた待ち時間通知システムであって、前記ユーザ端末は、所定のサービスを受けるユーザを識別するためのユーザ識別情報を、前記ネットワークを介して送信するユーザ識別情報送信手段と、前記待ち時間通知サーバによって通知される前記ユーザが前記サービスを受けるまでの待ち時間を示す情報を、前記ネットワークを介して受信する待ち時間受信手段と、前記待ち時間受信手段によって受信された前記待ち時間を示す情報を出力する待ち時間出力手段と、を備え、前記待ち時間通知サーバは、前記ユーザ識別情報送信手段によって送信される前記ユーザ識別情報を受信するユーザ識別情報受信手段と、前記ユーザ識別情報受信手段によって受信された前記ユーザ識別情報に対応して、前記サービスを受けるための受付順序を示す予約受付情報を生成する予約受付生成手段と、前記ユーザ識別情報受信手段によって識別された当該ユーザに対し、前記予約受付生成手段によって生成された前記予約受付情報に基づいて、前記サービスを受けるまでの待ち時間を所定のタイミングで算出し、算出された当該待ち時間を示す情報を生成する待ち時間算出手段と、前記待ち時間算出手段によって生成された前記待ち時間を示す情報を出力するユーザ通知手段と、を備えることを特徴とする待ち時間通知システム。
【０１２３】
（付記１０）
サービスを受けるユーザを識別するためのユーザ識別情報を受信するユーザ識別情報受信ステップと、前記ユーザ識別情報受信ステップで受信された前記ユーザ識別情報に対応して、前記サービスを受けるための受付順序を示す予約受付情報を生成する予約受付生成ステップと、前記ユーザ識別情報受信ステップで識別された当該ユーザに対し、前記予約受付生成ステップで生成された前記予約受付情報に基づいて、前記サービスを受けるまでの待ち時間を所定のタイミングで算出し、算出された当該待ち時間を示す情報を生成する待ち時間算出ステップと、前記待ち時間算出ステップによって生成された前記待ち時間を示す情報を出力するユーザ通知ステップと、を含むことを特徴とする待ち時間通知方法。
【０１２４】
（付記１１）
サービスを受けるユーザを識別するためのユーザ識別情報を受信するユーザ識別情報受信手順と、前記ユーザ識別情報受信手順によって受信された前記ユーザ識別情報に対応して、前記サービスを受けるための受付順序を示す予約受付情報を生成する予約受付生成手順と、前記ユーザ識別情報受信手順で識別された当該ユーザに対し、前記予約受付生成手順で生成された前記予約受付情報に基づいて、前記サービスを受けるまでの待ち時間を所定のタイミングで算出し、算出された当該待ち時間を示す情報を生成する待ち時間算出手順と、前記待ち時間算出手順で生成された前記待ち時間を示す情報を出力するユーザ通知手順と、をコンピュータに実行させることを特徴とする待ち時間通知プログラム。
【符号の説明】
【０１２５】
１００    診察予約サーバ
１０１    ＣＰＵ
１０２    ＲＯＭ
１０３    ＲＡＭ
１０４    データ格納部
１０５    ネットワークインターフェース部
１０６    診察受付データベース
１０７    バス
１０８    表示部
１１０    ユーザ識別情報受信部
１２０    予約受付生成部
１３０    待ち時間算出部
１４０    ユーザ通知部
１５０    電子メールアドレス格納部
１６０    履歴情報蓄積部
１７０    サービス提供時間取得部
１８０    閾値情報判定部
１９０    電話網接続部
２００    携帯電話端末
２０１    ＣＰＵ
２０２    ＲＯＭ
２０３    ＲＡＭ
２０４    モバイル通信インターフェース部
２０５    音声出力部
２０６    マイク部
２０７    キー入力部
２０８    表示部
２０９    バス
２１０    ユーザ識別情報送信部
２２０    待ち時間受信部
２３０    待ち時間出力部
２５０    携帯電話端末
３００    携帯電話網
４００    診察予約サーバ
【図１】
2011170552.tif 000003
【図２】
2011170552.tif 000004
【図３】
2011170552.tif 000005
【図４】
2011170552.tif 000006
【図５】
2011170552.tif 000007
【図６】
2011170552.tif 000008
【図７】
2011170552.tif 000009
【図８】
2011170552.tif 000010
【図９】
2011170552.tif 000011
【図１０】
2011170552.tif 000012
【図１１】
2011170552.tif 000013